(57)【要約】  【課題】  Ｅメール・メッセージおよびウェブ・ドキュメントまたはウェブ・ページの内容の交流を伴う有効な実用的アプリケーションを提供する。  【解決手段】  ネットワーク、例えばウェブ・ドキュメントにアクセスしてこれを表示した受信コンピュータ制御ディスプレイ端末は、表示されたウェブ・ドキュメントの一部分を選択するとともにドキュメントの部分を指定、例えば部分的に選択し、指定された部分をＥメール・メッセージに変換することができるようになる。このＥメール・メッセージはその後、ウェブ上の選択された端末に送ることができる。【選択図】  図２
2007115241.tif 000002
【特許請求の範囲】
【請求項１】
受信したネットワーク・ドキュメントの指定された部分を電子メールによりネットワーク上の宛先に送信するための、通信ネットワークにおけるコンピュータ制御ディスプレイシステムであって、
前記受信したネットワーク・ドキュメントを表示するための手段と、
前記表示されたドキュメントの内容の一部分をユーザが定めるのを可能にする手段と、
前記ドキュメントの定められた部分をユーザが電子メール・メッセージに変換するのを可能にする手段と、
前記電子メール・メッセージを前記通信ネットワーク上の少なくとも１つの宛先に送信するための手段と、
を含むシステム。
【請求項２】
前記定められた部分をユーザが前記電子メール・メッセージに変換するのを可能にする手段が、前記ユーザが一部分を定めるのに応じて、前記定められた部分を電子メール・メッセージに変換することを選択するよう前記ユーザに促すための手段を含む、請求項１記載のシステム。
【請求項３】
前記ネットワークがワールド・ワイド・ウェブである、請求項２記載のシステム。
【請求項４】
前記受信したドキュメントを記憶するために、前記コンピュータ制御ディスプレイシステムにアクセス可能な記憶手段と、
前記記憶手段から受信したドキュメントにアクセスするための手段と
をさらに含む、請求項２記載のシステム。
【請求項５】
前記電子メール・メッセージが、前記表示済みドキュメントの前記定義された部分の前記ユーザ変換に応じて生成される、請求項２記載のシステム。
【請求項６】
前記電子メール・メッセージが既に生成されており、前記表示されたドキュメントの前記定められた部分が前記既に生成された電子メールドキュメントに変換される、請求項２記載のシステム。
【請求項７】
各々が表示されたドキュメントの定められた部分を含む一連の前記電子メール・メッセージを、選択された１つのネットワーク宛先へ送信するための手段をさらに含み、この手段が、
前記ネットワーク上の目標の宛先を選択するための手段と、
一連の表示されたドキュメントの各々における部分を前記ユーザが定めるのを可能にする手段と、
定められた部分の各々をユーザがそれぞれ電子メール・メッセージに連続して変換するのを可能にする手段と、
を含み、
前記送信するための手段が、前記一連の電子メール・メッセージをネットワーク上の前記目標の宛先に送信する、請求項５記載のシステム。
【請求項８】
コンピュータ制御ディスプレイの通信ネットワークにおいて、受信したネットワーク・ドキュメントの指定された部分を電子メールにより通信ネットワーク上の宛先へ送信するための方法であって、
受信したネットワーク・ドキュメントを表示するステップと、
前記表示されたドキュメントの内容の一部分をユーザが定めるのを可能にするステップと、
前記ドキュメントの定められた部分をユーザが電子メール・メッセージに変換するのを可能にするステップと、
前記電子メール・メッセージを前記ネットワーク上の少なくとも１つの宛先へ送信するステップと、
を含む方法。
【請求項９】
前記定められた部分をユーザが前記電子メール・メッセージに変換するのを可能にするステップが、前記ユーザが前記部分を定めるのに応じて、前記定められた部分を電子メール・メッセージに変換することを選択するよう前記ユーザに促すことからなる、請求項８記載の方法。
【請求項１０】
前記ネットワークがワールド・ワイド・ウェブである、請求項９記載の方法。
【請求項１１】
前記コンピュータ制御ディスプレイにアクセス可能となるように、前記受信したドキュメントを記憶するステップと、
前記記憶され受信したドキュメントにアクセスするステップと、
をさらに含む、請求項９記載の方法。
【請求項１２】
前記電子メール・メッセージが、前記ユーザが前記表示されたドキュメントの前記定められた部分を変換するのに応じて生成される、請求項９記載の方法。
【請求項１３】
前記電子メール・メッセージが既に生成されており、前記表示されたドキュメントの前記定められた部分が前記既に生成された電子メールドキュメントに変換される、請求項９記載の方法。
【請求項１４】
各々が表示されたドキュメントの定められた部分を含む一連の前記電子メール・メッセージを、選択された１つのネットワーク宛先に送信するステップをさらに含む方法であって、
前記ネットワーク上の目標の宛先を選択するステップと、
一連の表示されたドキュメントの各々における部分を前記ユーザが定めるのを可能にするステップと、
定められた部分の各々をユーザがそれぞれ電子メール・メッセージに連続して変換するのを可能にするステップと、
を含み、
前記一連の電子メール・メッセージがネットワーク上の前記目標の宛先に送信される、請求項１３記載の方法。
【請求項１５】
コンピュータ制御ディスプレイ上に表示され受信したネットワーク・ドキュメントの指定された部分を電子メールにより通信ネットワーク上の宛先に送信するための、プログラムであって、該プログラムがコンピュータに、
受信したネットワーク・ドキュメントを表示するための機能と、
前記表示されたドキュメントの内容の一部分をユーザが定めるのを可能にする機能と、
前記ドキュメントの定められた部分をユーザが電子メール・メッセージに変換するのを可能にする機能と、
前記電子メール・メッセージを前記ネットワーク上の少なくとも１つの宛先に送信するための機能と、
を実現させるプログラム。
【請求項１６】
前記定められた部分をユーザが前記電子メール・メッセージに変換するのを可能にする機能が、前記ユーザが一部分を定めるのに応じて、前記定められた部分を電子メール・メッセージに変換することを選択するよう前記ユーザに促すための機能を含む、請求項１５記載のプログラム。
【請求項１７】
前記ネットワークがワールド・ワイド・ウェブである、請求項１６記載のプログラム。
【請求項１８】
前記電子メール・メッセージが、前記表示されたドキュメントの前記定められた部分の前記ユーザ変換に応じて生成される、請求項１６記載のプログラム。
【請求項１９】
前記電子メール・メッセージが既に生成されており、前記表示されたドキュメントの前記定められた部分が前記既に生成された電子メールドキュメントに変換される、請求項１６記載のプログラム。
【請求項２０】
各々が表示されたドキュメントの定められた部分を含む一連の前記電子メール・メッセージを、選択された１つのネットワーク宛先に送信するための機能をさらに含むプログラムであって、
前記ネットワーク上のターゲット宛先を選択するための機能と、
一連の表示されたドキュメントの各々における部分を前記ユーザが定めるのを可能にする機能と、
定められた部分の各々をユーザがそれぞれ電子メール・メッセージに連続して変換するのを可能にする機能と、
を含み、
前記送信するための機能が、前記一連の電子メール・メッセージをネットワーク上の目標の前記宛先に送信する、請求項１９記載のプログラム。
【発明の詳細な説明】
【技術分野】
【０００１】
本発明は、ネットワーク中でソースまたはサイトから配布されるネットワーク、例えばウェブ・ドキュメントと、このようなネットワークを介してユーザ同士でより限定された配布として送信される電子メール（Ｅメール）・メッセージとを含むワールド・ワイド・ウェブ（ウェブ）等のコンピュータ管理通信ネットワークに関する。
【背景技術】
【０００２】
この１０年は、データ処理産業と家電産業との接近に後押しされた技術革新が特徴的である。その効果として、公知で利用可能な、ただし何年にもわたって比較的静止していた技術が推進されてきた。これらの技術のうち主要な１つは、インターネットまたはウェブ関連のドキュメント配布である。研究機関および行政機関の無規律なデータ配布設備として一世代以上にわたって静かに存在してきたウェブまたはインターネットは「限界的な量」に達し、驚異的な発展の時代が始まった。この発展とともに、企業や消費者は、ウェブ中でウェブ・ドキュメント・ソースまたはデータベース・サイトから配布されるすべての様式のドキュメントおよび媒体への直接的なアクセス手段を手にしている。また、ウェブの急速な発展の結果として、２５年以上にわたって専用かつ特定の目的のより小規模なネットワークで配布されてきたＥメールは、厖大な配布チャネルが有効になったためウェブで配布されるようになってきた。この発展の結果として、企業、研究機関、および個人にとって、桁外れの世界的な通信チャネルおよびリソースが利用可能になった。
【０００３】
ネットワーク・ドキュメント、例えばウェブ・ページを含むウェブ・ドキュメントは、データベース・ソースまたはサイトからネットワーク上、例えばウェブ・サイト上に大量の情報を繰り返し配布するための道具である。ウェブ・ドキュメントはハイパーテキスト・マークアップ言語（ＨＴＭＬ言語）で実現される。ウェブまたは同種の専用ネットワーク・ドキュメントはハイライト表示されたハイパーリンクを含み、ハイパーリンクは、ユーザにより起動して、リンクされた他のウェブ・サイトに由来する他のウェブ・ドキュメントにアクセスすることができる。ウェブまたは同種のネットワーク・ドキュメントは、比較的大量の情報を含み、このようなドキュメントに埋め込まれたハイパーリンクにより、このようなドキュメントを受け取るユーザに、リンクされたウェブ・ドキュメント内のさらに大量の情報へのアクセス手段を提供する。
【非特許文献１】Mastering the Internet, G. H. Cady et al., published by Sybex Inc.,Alameda, CA, 1996
【非特許文献２】Internet: The Complete Reference, Millennium Edition, Margaret Younget al., Osborne/McGraw Hill, Berkeley, CA, 1999
【非特許文献３】Just Java, van der Linden, 1997, SunSoft Press, particularly atChapter 7, pp. 249‐268
【発明の開示】
【発明が解決しようとする課題】
【０００４】
Ｅメールは、送信者と受信者との間で個人的または業務上のメッセージの配布を小規模にするために、ウェブ上または同種のネットワーク上で同一の配布チャネルを頻繁に使用する。Ｅメールおよびウェブまたは同種のネットワーク・ドキュメントは同一の配布チャネルを非常に頻繁に使用するが、Ｅメール・メッセージおよびウェブ・ドキュメントまたはウェブ・ページの内容の交流を伴う有効な実用的アプリケーションは存在しないように思われる。本発明はこのような交流を提供するものである。
【課題を解決するための手段】
【０００５】
本発明は、受信コンピュータ制御ディスプレイ端末にてネットワーク、例えばウェブ・ドキュメントにアクセスしこれを表示したユーザに、表示されたウェブ・ドキュメントの一部分を選択するとともにドキュメントの一部分を指定、例えば部分的に選択し、指定された部分をＥメール・メッセージに変換する能力を提供する。本発明の最も広範な側面によれば、ユーザは、前記表示されたドキュメントの内容の一部分を定め、前記ドキュメントの定められた部分をＥメール・メッセージに変換することができるようになる。次に、この結果生じるＥメール・メッセージを通信ネットワーク上の少なくとも１つの宛先に送信することができる。ユーザが、Ｅメール・メッセージに変換すべきネットワーク・ドキュメントの部分を定めると、定められた部分を選択してこれをＥメール・メッセージに変換するようユーザに促す。ウェブ・ドキュメントを受信するコンピュータディスプレイでは、コンピュータ制御ディスプレイにアクセス可能な、受信されたドキュメントを記憶するための記憶機能と、この記憶機能から受信されたドキュメントにアクセスするための手段とを提供することもできる。この部分が定められると、習慣的に新規のＥメール・メッセージが形成される。一方で、変換された部分を既存のＥメール・メッセージに組み込むこともできる。
【０００６】
本発明の別の側面によれば、このシステムを使用して、各メッセージが表示されたウェブ・ドキュメントの定められた部分を含む一連の前記電子メール・メッセージを、選択された１つのネットワーク宛先に送信することができる。このことは、前記ネットワーク上の目標の宛先を選択することにより、また、一連の表示されたウェブ・ドキュメントの各々における部分をユーザが定めることができるようにすることにより、さらに、この定められた部分の各々をユーザがそれぞれ連続してＥメール・メッセージに変換できるようにする結果、ネットワーク上、例えばウェブ上の目標の宛先に一連の電子メール・メッセージを送信するための手段が送信を行うことにより、実行することができる。
【発明を実施するための最良の形態】
【０００７】
以下の図面を添付の明細書と合わせて参照することにより、本発明は当業者にとってより良く理解され、その多数の目的および利点がより明らかとなろう。
【０００８】
図１を参照すると、ネットワーク、例えばインターネットまたはウェブ（置き換え可能に用いられる）に関する概略的な配布システムが提供されており、ウェブ・ドキュメントにアクセスしてこれを表示し、ウェブ・ドキュメントの一部分を定義してこのような部分を本発明のＥメールに変換するためのシステムの要素が示されている。以下の記載において、説明された要素が、コンピュータ制御ディスプレイ端末２１にてウェブ・ドキュメントを受信するユーザにより制御・起動され、このユーザはその後、他の受信ディスプレイ端末にＥメール・メッセージを送るということが理解されよう。このことは、以下で図３から図５の表示画面シーケンスに関してより詳細に説明する。
【０００９】
さらに具体的な実施形態の詳細に進む前に、本発明に関連し得る多様な要素および方法を、より一般的な観点から理解することが有益であろう。本発明の主要な側面は、グローバル・ネットワーク、例えばウェブまたはインターネットで送信されるウェブ・ドキュメントおよび電子メール向けられることから、このような通信ネットワークおよびそれらの動作原理を理解することが有益となろう。本発明を応用することのできるネットワークについては綿密に記載することはしない。ウェブのノード、オブジェクト、およびリンクに関する詳細については、Mastering the Internet, G. H. Cady et al., published by Sybex Inc.,Alameda, CA, 1996（非特許文献１）の明細書、または、Internet: The Complete Reference, MillenniumEdition, Margaret Young et al., Osborne/McGraw Hill, Berkeley, CA, 1999（非特許文献２）の明細書が参照される。コンピュータ制御システムを多様なサイトに相互接続またはリンクするいかなるデータ通信システムも通信ネットワークを定義する。当然ながら、インターネットまたはウェブは、コンピュータ技術とオペレーティング・システムとが不均一に混ざり合ったグローバル・ネットワークである。種々のネットワーク・サーバ・コンピュータにより、階層がより高レベルのオブジェクトが、より低レベルのオブジェクトにリンクされている。
【００１０】
ウェブ・ドキュメントはハイパーテキスト・マークアップ言語（ＨＴＭＬ言語）で実装することができ、このことは、ウェブ・ページの処理を扱うJust Java, van der Linden, 1997, SunSoft Press, particularly atChapter 7, pp. 249‐268（非特許文献３）の明細書において、また、ウェブ・ページの構造におけるＨＴＭＬに関して上記で参照したMasteringthe Internetの特に６３７〜６４２ページにおいて、詳細に記載されている。
【００１１】
さらに、本発明の側面はウェブ・ブラウザに関連する。ブラウザの全体的かつ包括的記載を、上述のMastering the Internetの２９１〜３１３ページの文章に見ることができる。より詳細なブラウザの記載は、NetscapeNavigator（Ｒ）については上述のInternet: The Complete Reference, Millennium Editionの特に１９章４１９〜４５４ページに、MicrosoftInternet Explorer（Ｒ）については２０章４５５〜４９４ページに、Lynx（Ｒ）、Opera（Ｒ）、およびその他のブラウザを網羅するものは２１章４９５〜５１２ページに見ることができる。
【００１２】
次に図１の詳細に立ち返ると、コンピュータ制御ディスプレイ端末２１のユーザは、データベース３４または１７によりそれぞれサポートされているウェブ・サイト、例えばウェブ・サイト３５または３３のいずれかに由来しウェブ・サーバ３１または３２を経由するウェブ３０のドキュメントに、ウェブ・ブラウザ２３によりウェブ・サーバ２５を経由してアクセスする。その結果アクセスされたウェブ・ドキュメントは、コンピュータ制御ディスプレイ端末２１に表示される。そして、以下で図３から図５に関してより詳細に説明するように、表示されたウェブ・ドキュメントの一部分がＥメール・メッセージに変換される。その結果生じるＥメール・メッセージはさらに編集することができ、ネットワークを経由し、ウェブ・サーバ２５、ウェブ３０、およびウェブ・サーバ２９を経由して別のコンピュータ制御ディスプレイ端末、例えばディスプレイ端末２７に送ることができる。
【００１３】
本発明の実施に使用されるコンピュータの機能の説明を進める前に、代表的なデータ処理端末を示す図２が参照されるべきである。このデータ処理端末は、ウェブ・ドキュメント受信端末として、またＥメール・メッセージ送信端末、すなわち図１のコンピュータ制御ディスプレイ端末２１または受信ディスプレイ端末２７、あるいはウェブ・サーバ２５、２９、３１、および３２として機能することができる。データを処理する中央演算処理装置（ＣＰＵ）１０、例えばインターナシヨナル  ビジネス  マシーンズ  コーポレーシヨン（ＩＢＭ）社から入手可能なRisc System /6000（Ｒ）（RS/6000）シリーズ等のＰＣマイクロプロセッサまたはワークステーションの１つが提供され、システム・バス１２によりその他の多様なコンポーネントと相互接続される。オペレーティング・システム４１はＣＰＵ１０で作動するとともに制御をもたらし、図２の多様なコンポーネントの機能を調整するのに使用される。オペレーティング・システム４１は商業的に入手可能なオペレーティング・システムのうちの１つとすることができ、これには例えばＩＢＭ社から入手可能なオペレーティング・システムAIX/6000（Ｒ）、マイクロソフト社のWindowsXP（Ｒ）、また、オペレーティング・システムUNIX（Ｒ）およびAIX（Ｒ）がある。システムにより制御されるアプリケーション・プログラム４０は、メインメモリであるランダム・アクセス・メモリ（ＲＡＭ）１４を往復して移動する。これらのプログラムは、表示された受信済みウェブ・ドキュメントのある部分を選択してこの部分をＥメールに変換するための本発明のプログラムを含む。このＥメールはその後、選択されたディスプレイ端末に送られる。
【００１４】
リード・オンリ・メモリ（ＲＯＭ）１６は、システム・バス１２を経由してＣＰＵ１０に接続されており、基本的なコンピュータ機能を制御する基本入出力システム（ＢＩＯＳ）を含む。ＲＡＭ１４、入出力アダプタ１８、および通信アダプタ３４もシステム・バス１２に相互接続されている。入出力アダプタ１８はディスク・ストレージ・デバイス２０と通信する。通信アダプタ３４は、システム・バス１２と外部ネットワークとを相互接続させ、データ処理システムが（それぞれ上述したように）ウェブまたはインターネットにより通信するのを可能にする。後者の２つの用語（ウェブおよびインターネット）は概ね置き換え可能であることが意図されており、配布ネットワークの本記述においてそのように使用される。システム・バス１２には、ユーザ・インタフェース・アダプタ２２およびディスプレイ・アダプタ３６を経由して入出力装置も接続されている。キーボード２４およびマウス２６はすべて、ユーザ・インタフェース・アダプタ２２によりシステム・バス１２に相互接続されている。ユーザが、ネットワークを経由して送られてくる受信済みウェブ・ページおよびＥメール・メッセージを対話式に受信または制御できるのはこのような入力装置によってである。ディスプレイ・アダプタ３６はフレーム・バッファ３９を含み、このフレーム・バッファは、表示画面３８上の各画素の表現を保持する記憶装置である。フレーム・バッファ３９に画像を保存し、これを多様なコンポーネント、例えばディジタル／アナログ変換器（図示せず）等により表示画面３８上に表示することができる。前述の入出力装置を使用することにより、ユーザはキーボード２４またはマウス２６によりシステムに情報を入力し、表示画面３８を経由してシステムからの出力情報を受信することができる。
【００１５】
次に図３〜図５のシーケンスに関して、本発明の実施の簡単な説明を説明する。この実施において、受信ディスプレイ端末のユーザは、受信されたウェブ・ドキュメントを表示してドキュメントの選択された部分をＥメール・メッセージに変換し、このＥメール・メッセージがその後、ウェブ・ディスプレイ・ステーションにいる他のユーザに送られる。図３では受信ディスプレイ端末の対話型表示画面４３を示しており、この表示画面は、ウェブ・ページ上にある「我が国の名誉ある軍人たちを保護」するための「決定」を含む。画面のツールバー・メニューにはコピー機能を開始するための「コピー」ボタン４４がある。図４では、同じ画面において、ユーザがＥメール・メッセージに変換したい部分４５を部分的に選択したところである。ユーザは「コピー」ボタン４４を選択しクリックする。これによりメニュー４６がドロップダウン表示される。メニューはユーザに、部分４５を処理するための幾つかの選択肢を提示する。ユーザが「Ｅメールする」４７を選択すると、その結果「新規」４８または「既存」４９をリスト表示する別のメニューが現れ、これによりユーザは新規または既存のＥメールを選択することができる。ユーザが既存のＥメールを選択した場合はそのＥメールを記憶装置から取り出すことができるはずである。しかし、ここではユーザは新規のＥメールを選択した。このことにより、新規のＥメール・メッセージである図５のＥメール・メッセージ５０が表示されることになる。部分４５はＥメール・メッセージに変換され、ユーザは、編集機能を介して自身のコメント５１を追加した。このＥメール・メッセージはその後、ネットワークを経由してネットワーク上のディスプレイ端末に送ることができ、そこではユーザらが、このメッセージが介する情報を待っている。
【００１６】
次に、図６に関して、本発明を実施するためにセットアップされるべきプログラム機能を説明する。ネットワーク、例えばウェブにおいて、ローカル受信ディスプレイ端末が、ウェブ・サイトのデータベースからウェブ・ドキュメントにアクセスでき（ステップ６１）、そして他の受信端末へのＥメールサービスも提供されており、ウェブ・ブラウザの使用によりウェブ・ドキュメントへのアクセスおよび表示が提供される（ステップ６２）。ユーザは、アクセスされ受信端末で表示されたウェブ・ドキュメントの一部分を部分的に選択することができるようになる（ステップ６３）。ユーザを促し、部分的に選択された部分をＥメール・メッセージに挿入すべきかどうかを決定するための対話型表示が提供される（ステップ６４）。部分的に選択された部分をＥメール・メッセージに挿入するように選択が行われると、ユーザにさらなる選択項目、すなわち、選択された部分を既存または新規のＥメール・メッセージに変換するかどうかが提示される（ステップ６５）。次に、そのように変換するというユーザ選択に応じて、部分的に選択された部分を、選択されたＥメール・メッセージに挿入するための表示が提供される（ステップ６６）。ウェブ・ドキュメントから挿入済された部分を含むＥメール・メッセージの表示が提供される（ステップ６７）。したがって、ユーザは、メッセージをウェブ端末ロケーションに送る前に、Ｅメール・メッセージ上で従来のＥメールの「追加、編集、送信」機能を使用することができるようになる（ステップ６８）。
【００１７】
次に、図７のフローチャートに関して、図６における処理のセットアップの簡素化した例示的な実行を説明する。ウェブ上のディスプレイ端末にて、ユーザがあるウェブ・ドキュメントを選択したかどうかに関する決定が行われる（ステップ７１）。「YES」の場合、アクセスされたウェブ・ドキュメントは受信ディスプレイ端末に表示される（ステップ７２）。次に、表示されたウェブ・ドキュメントの部分をユーザが部分的に選択したかどうかに関して決定が行われる（ステップ７３）。「NO」の場合、このような選択は待機させられる。「YES」の場合、この部分をユーザがＥメール・メッセージに含めることを選択するよう求めるダイアログ・ボックスが表示される（ステップ７４）。次に、この部分をＥメール・メッセージに含めるようにユーザが選択したかどうかに関する決定が行われる（ステップ７５）。「YES」の場合、その結果生じるＥメール・メッセージが表示され（ステップ７６）、ユーザは編集ができるようになり（ステップ７７）、Ｅメール・メッセージが送られる（ステップ７８）。この時点において、またはステップ７５における決定が「NO」の場合には、セッションを終えるかどうかに関する決定が行われる。「YES」の場合、セッションが終了する。「NO」の場合、セッションは分岐してステップ７１に戻る。
【００１８】
本発明により包含されるプログラムは、これらが必要となるまで本コンピュータシステムの外部に保存しておくことができるということに留意すべきである。プログラム命令は、別の可読メディア内に、例えば、受信端末またはハブ・サーバに関連するディスク・ドライブ内に保存することができる。プログラム命令は、取り外し可能メモリ内におくことができ、例えば、ＣＤ‐ＲＯＭコンピュータ入力において使用するために光ディスク内に、あるいは、フレキシブル・ディスク・ドライブコンピュータ入力において使用するためにフレキシブル・ディスク内におくことができる。さらに、プログラム命令は、本発明のシステムで使用する前に別のコンピュータのメモリに保存しておくことができ、本発明のユーザにより要求された場合には、ローカル・エリア・ネットワーク（ＬＡＮ）または広域ネットワーク（ＷＡＮ）、例えばインターネットで送信することができる。
【００１９】
本発明を制御する処理は、多様な形のコンピュータ可読メディアの態様で配布することができるということを当業者であれば理解すべきである。
【００２０】
好ましい実施形態を示し説明したが、そこでは添付の請求項の範囲および意図から逸脱することなく多くの変更および修正を行うことができるということが理解されよう。
【図面の簡単な説明】
【００２１】
【図１】例示的ウェブ部分に関する配布システムの概略図であり、受信済みウェブ・ドキュメント部分はこのウェブ部分上でＥメール・メッセージに変換し、このＥメール・メッセージをその後ウェブ上の宛先に送ることができる。
【図２】中央演算処理装置と、通信アダプタを経由したネットワーク接続とを含むデータ処理システムのブロック線図であり、データ処理システムは、ウェブ・ドキュメントを受信しＥメール・メッセージを送信するための送受信ディスプレイコンピュータ端末を実装することができ、図１に示すウェブ・サーバのうち任意のものを実装することができる。
【図３】受信コンピュータ制御ディスプレイ端末表示画面の一部分の例示的な概略図であり、受信済みウェブ・ドキュメントの１つのページを示す。
【図４】図３の例示的な表示画面であり、このページの部分が定められた（例えば部分的に選択された）後を示す。
【図５】図４で定められた変換済み部分を含むＥメール・メッセージの例示的な概略図である。
【図６】受信したウェブ・ドキュメントの定められた部分をＥメール・メッセージに変換し、その結果生じるＥメール・メッセージを送るための機能のセットアップを記載した例示的なフローチャートである。
【図７】図６によりセットアップされたプログラムの例示的な実行のフローチャートである。
【符号の説明】
【００２２】
１０  ＣＰＵ
１４  ＲＡＭ
１６  ＲＯＭ
１７  データベース
１８  入出力アダプタ
２２  ユーザ・インタフェース・アダプタ
２３  ウェブ・ブラウザ
２５、２９  ウェブ・サーバ
３０  ワールド・ワイド・ウェブ
３１、３２  ウェブ・サーバ
３３、３５  ウェブ・サイト
３４  データベース
３６  ディスプレイ・アダプタ
３９  フレーム・バッファ
４０  アプリケーション
４１  オペレーティング・システム
【図１】
2007115241.tif 000003
【図２】
2007115241.tif 000004
【図３】
2007115241.tif 000005
【図４】
2007115241.tif 000006
【図５】
2007115241.tif 000007
【図６】
2007115241.tif 000008
【図７】
2007115241.tif 000009